(57)【特許請求の範囲】
【請求項１】
化粧料が充填された中皿と、上記中皿を収容するための中皿収容凹部が形成された容器本体と、この容器本体を蓋する蓋体とを備え、上記中皿収容凹部の底面に配設された接着剤層により、上記中皿の底面がこの接着剤層に剥離可能に貼着されてなる化粧料容器であって、上記容器本体の中皿収容凹部の底面の接着剤層の周囲の領域に、緩衝材を嵌合固定するための凸部もしくは溝部が形成され、この凸部もしくは溝部に、可撓性を有する紐状中空体からなる緩衝材が上記底面に沿って配置されて固定され、この緩衝材を介して、上記中皿が中皿収容凹部内に収容されるようになっていることを特徴とする化粧料容器。
【請求項２】
上記緩衝材が、上記中皿収容凹部の底面に沿ってリング状に配置されている請求項１記載の化粧料容器。
【発明の詳細な説明】
【技術分野】
【０００１】
本発明は、コンパクト等の化粧料容器に関するものである。
【背景技術】
【０００２】
従来から、ファンデーション等の固形化粧料を収容するレフィル容器等の各種化粧料容器では、これを床上等に落下させてしまうと、この落下時の衝撃によって、化粧料容器内の固形化粧料がひび割れたり、損傷したりするため、化粧料容器の容器本体と、固形化粧料を収容する中皿との間に緩衝材を設け、この緩衝材で落下時の衝撃を和らげるようにしたものが多く出回っている。
【０００３】
このような化粧料容器として、例えば、図１３に示す衝撃吸収機能付きコンパクト容器が提案されている。このコンパクト容器は、中皿収納部３１ａおよび化粧用具収納部３１ｂが形成された容器本体３１と、蓋体３２と、化粧料３４が充填された中皿３３とを備え、上記中皿収納部３１ａ内に設けられたシート状の衝撃吸収部材３５を介して、上記中皿３３が保持されるようになっている（例えば、特許文献１参照）。
【０００４】
また、他の例として、図１４に示すように、凹部４１ａが形成された容器本体４１と、蓋４２と、固化化粧料４４が充填された化粧料充填中皿４３と、この化粧料充填中皿４３を装着する中皿収容部４５とを備えたコンパクト容器において、上記凹部４１ａの四隅に球状シリコーンゲル４６を配設し、これら４個の球状シリコーンゲル４６で上記中皿収容部４５をフローティング状に支受するようにしたものも提案されている（例えば、特許文献２参照）。
【特許文献１】特開２００７−７５５４２号公報
【特許文献２】特開２００７−２９２３４号公報
【発明の開示】
【発明が解決しようとする課題】
【０００５】
しかしながら、図１３に示すコンパクト容器では、衝撃吸収部材３５が、中実に形成されたゲル素材のシートで構成されているため、コンパクト容器の落下時の衝撃が、衝撃吸収部材３５のゲル素材に吸収されると同時に、内部（中実部）を通って中皿３３にも伝達されるため、充分な緩衝効果を得ることができない。しかも、上記ゲル素材は、中実であるため、撓み量が小さく、この点においても緩衝効果に劣る。さらに、上記衝撃吸収部材３５を、容器本体３１の形状や中皿３３の形状，配置等の異なる様々なコンパクト容器（例えば、容器本体３１内に複数の中皿３３を組み合わせて並べるタイプのコンパクト容器）に用いる場合、各中皿３３の形状，配置等に対応させて衝撃吸収部材３５の形状，配置等を変更することができず、中皿３３の形状，配置等に応じた最善の緩衝効果を得ることができない。また、中皿３３に充填される化粧料も、その処方により、ひび割れしやすい固形化粧料、崩れやすい粉状化粧料や、適度の粘性があるためひび割れしにくい化粧料等、物性の異なる各種のものが用いられるが、上記衝撃吸収部材３５の構成では、上記の各種化粧料に応じた最適な保持の仕方で中皿３３を保持することができない。
【０００６】
一方、図１４に示すコンパクト容器も、球状シリコーンゲル４６が、中実に形成された球状体で構成されており、中実に形成されている点において、図１３のコンパクト容器の衝撃吸収部材３５と同様であるため、図１３のコンパクト容器と同様の課題を有する。すなわち、コンパクト容器の落下時の衝撃が球状シリコーンゲル４６の内部（中実部）を通って中皿収容部４５に伝達され、充分な緩衝効果を得ることができない。しかも、球状シリコーンゲル４６は、撓み量が小さく、この点でも緩衝効果に劣る。さらに、球状シリコーンゲル４６では、その直径を変化することにより、その大きさを変更することができるだけであるため、球状シリコーンゲル４６を、中皿３３の形状，配置等の異なる様々なコンパクト容器に用いる場合には、球状シリコーンゲル４６を各中皿３３の形状，配置等に対応させることができず、緩衝効果に劣る。また、化粧料の処方に応じた最適の保持の仕方で、中皿収容部４５を保持することもできない。
【０００７】
本発明は、このような事情に鑑みなされたもので、緩衝効果に優れ、しかも、中皿の形状，配置や化粧料の処方に応じてその都度最適なパターンで緩衝材を配置することができ、化粧料容器の設定条件に最適な緩衝効果を持たせることのできる化粧料容器の提供をその目的とする。
【課題を解決するための手段】
【０００８】
上記の目的を達成するため、本発明の化粧料容器は、化粧料が充填された中皿と、上記中皿を収容するための中皿収容凹部が形成された容器本体と、この容器本体を蓋する蓋体とを備え、上記中皿収容凹部の底面に配設された接着剤層により、上記中皿の底面がこの接着剤層に剥離可能に貼着されてなる化粧料容器であって、上記容器本体の中皿収容凹部の底面の接着剤層の周囲の領域に、緩衝材を嵌合固定するための凸部もしくは溝部が形成され、この凸部もしくは溝部に、可撓性を有する紐状中空体からなる緩衝材が上記底面に沿って配置されて固定され、この緩衝材を介して、上記中皿が中皿収容凹部内に収容されるようになっているという構成をとる。
【発明の効果】
【０００９】
すなわち、本発明の化粧料容器では、緩衝材として、可撓性を有する紐状中空体を用いているため、化粧料容器の落下時の衝撃が、上記緩衝材を構成する紐状中空体に作用しても、この紐状中空体の内部空間により紐状中空体が変形しやすく、この変形によって上記衝撃が吸収されて紐状中空体以外には殆ど伝達されず、緩衝効果に優れる。しかも、上記内部空間のため、撓み量が大きく、この点においても緩衝効果に優れる。さらに、上記緩衝材が、可撓性を有する紐状中空体で構成されているため、この紐状中空体を所望の長さに調整したうえで、中皿収納凹部の底面に沿って所望の形状に曲げることができる。したがって、上記緩衝材を、容器本体の形状や中皿の形状，配置等の異なる様々なコンパクト容器（例えば、容器本体内に複数の中皿を組み合わせて並べるタイプのコンパクト容器）に用いる場合に、中皿の形状，配置等に対応させて、上記緩衝材を、中皿収納凹部の底面に所望の配置で固定することができ、より良い緩衝効果が得られる。そのうえ、化粧料の処方により、各種の化粧料が用いられるが、その都度各種化粧料に対応させて、上記衝撃材の形状，配置を工夫して緩衝効果に強弱を設ける等することで、各種化粧料に応じた最適のパターンで中皿を保持することができる。なお、上記紐状中空体の内部空間は、外部に連通していてもしていなくてもよいが、外部に連通していると、内部空間中の気体の流出，流入が行われ、一層緩衝効果に優れる。さらに、本発明の化粧料容器は、上記容器本体の中皿収容凹部の底面の接着剤層の周囲の領域に、緩衝材を嵌合固定するための凸部もしくは溝部が形成され、この凸部もしくは溝部に、上記可撓性を有する紐状中空体が配設されているため、上記凸部もしくは溝部を利用して、上記紐状中空体を素早く位置決めし、簡単かつ容易にこれを固定することができる。
【００１０】
また、本発明において、上記緩衝材が、上記中皿収容凹部の底面に沿ってリング状に配置されている場合には、一連にリング状に繋がる緩衝材により、緩衝材の形状を保持しやすくなる。
【発明を実施するための最良の形態】
【００１１】
つぎに、本発明の実施の形態を図面にもとづいて詳しく説明する。ただし、本発明は、この実施の形態に限定されるわけではない。
【００１２】
図１は本発明の化粧料容器の一実施の形態を示している。図において、１は上面に中皿収容凹部１ａが形成された容器本体で、２は上記容器本体１の上面を開閉自在に蓋する蓋体で、上記容器本体１の後端部１ｂと蓋体２の後端部２ａとが連結ピン３により回動自在に連結されている。
【００１３】
上記容器本体１の中皿収容凹部１ａには、図２および図３に示すように、その底面１ｃの中央部に円柱形状の突部１１が突設されており、この突部１１の周側面に緩衝材１２が取付けられている。この緩衝材１２は、可撓性を有する軟質塩化ビニル（ＰＶＣ）製のチューブ（紐状中空体）１２ａの両端開口部１２ｂ同士を接合して環状に連結したもので、上記チューブ１２ａの下面を中皿収容凹部１ａの底面１ｃに当接させた状態で、上記突部１１の周側面に外嵌固定されている。
【００１４】
なお、上記チューブ１２ａの直径は、図４に示すように、上記突部１１の高さより大きく形成されており、上記チューブ１２ａの上面が突部１１の上面より上方に突出するようになっている。したがって、このチューブ１２ａの上面によって、固形化粧料５が充填された中皿４（図１参照）が、弾力的に保持される。
【００１５】
上記緩衝材１２の作製は、例えば、市販のチューブ１２ａを準備し、ついで、これを所定の長さ（円環状に曲げたときに、その内径が上記突部１１の外径と略同じにもしくはやや小径となる長さ）に切断したのち、円環状に曲げてその両端開口部１２ｂ同士を接合することを行う。この接合に際しては、上記両端開口部１２ｂ同士を溶着したり、接着剤等で接着したり、接着テープを巻回したりすることができる。このようにして作製された緩衝材１２は、上記突部１１の周側面に外嵌される。この外嵌は、上記緩衝材１２の内径が上記突部１１の外径と略同じにもしくはやや小径に設定されているために可能である。なお、上記嵌着後にチューブ１２ａを突部１１の周側面に接着剤等で接着してもよい。
【００１６】
上記チューブ１２ａは、円管状に形成され、円環状等、湾曲状に曲げやすいことが好ましく、その硬度（ショアＡ硬度）を、１０〜１５の範囲内に設定することが好適である。また、上記チューブ１２ａの外径を１〜５ｍｍの範囲内に設定し、その肉厚を、０．２〜１．５ｍｍの範囲内に設定することが好適である。
【００１７】
１３は上記突部１１の上面に設けられた、ホットメルト接着剤からなる接着剤層で、この接着剤層１３の上面に、中皿４の底面が剥離可能に接着されている。１４は上記中皿収容凹部１ａの底壁に形成された棒状体挿入用貫通穴で、１５は上記容器本体１の前端部に形成された凹部で、この凹部１５の奥面に突設された係合凸部１５ａに、上記蓋体２の前端部から突設された係合爪２ｂが着脱自在に係合している（図１参照）。また、図１において、１６は上記蓋体２の裏面に固定された鏡である。
【００１８】
上記の構成によれば、化粧料容器の落下時の衝撃が容器本体１の底壁を介して、上記緩衝材１２を構成するチューブ１２ａに作用する。このチューブ１２ａは、その内部空間のため変形しやすく、この変形によって上記衝撃が吸収されてチューブ１２ａ以外には殆ど伝達されない。したがって、上記衝撃があまり中皿３３に伝達されず、優れた緩衝効果を奏する。しかも、上記内部空間のため、撓み量が大きく、この点でも緩衝効果に優れる。
【００１９】
上記のように、この実施の形態では、上記緩衝材１２が、可撓性を有するチューブ１２ａで構成されているため、緩衝効果に優れる。しかも、上記チューブ１２ａは、その長さ方向に所望の長さに切断して所望の形状に曲げることができるため、これを中皿４の形状や配置等に対応させて、中皿収納凹部１ａの底面１ｃに沿わせて所望の位置（この実施の形態では、中央部）に配置することができ、より良い緩衝効果が得られる。さらに、化粧料５（この実施の形態では、固形化粧料５）によってその都度、上記チューブ１２ａの形状や配置を工夫することができ、これにより、最適のパターンで中皿４を保持することができる。
【００２０】
図５は上記容器本体１の変形例を示している。この例では、上記容器本体１の中皿収容凹部１ａの底面１ｃに、湾曲形に形成された４つの溝部２１が、１つの仮想円周２２上に略等間隔をあけて設けられており、図６（この図６には、１つの溝部２１しか図示せず）に示すように、上記各溝部２１に、湾曲形に形成されたチューブ１２ａからなる緩衝材１２が内嵌状に固定されている。これら各チューブ１２ａは、市販のチューブ１２ａを、上記各溝部２１に収まる長さに切断したものであり、その両端は開口している。また、上記各チューブ１２ａの直径は、上記各溝部２１の深さより大きく形成されており、これにより、上記各チューブ１２ａの上面が上記各溝部２１の上面開口より上方に突出している。そして、これら各チューブ１２ａの上面に中皿４（図１参照）が載置されている。また、上記中皿収容凹部１ａの底面１ｃの中央部に接着剤層１３が設けられている。それ以外の部分は上記実施の形態と同様であり、同様の部分には同じ符号を付している。この実施の形態でも、上記実施の形態と同様の作用・効果を奏する。
【００２１】
図７は上記容器本体１の他の変形例を示している。この例では、上記容器本体１の中皿収容凹部１ａの底面１ｃに、Ｕ字状に形成された溝部２１が設けられており、この溝部２１に、Ｕ字状に曲げられたチューブ１２ａからなる緩衝材１２が内嵌状に固定されている。それ以外の部分は、図５および図６に示す実施の形態と同様であり、同様の部分には同じ符号を付している。この実施の形態でも、図５および図６に示す実施の形態と同様の作用・効果を奏する。
【００２２】
図８は上記容器本体１のさらに他の変形例を示している。この例では、上記容器本体１の中皿収容凹部１ａの底面１ｃに、Ｓ字状に形成された溝部２１が設けられており、この溝部２１に、Ｓ字状に曲げられたチューブ１２ａからなる緩衝材１２が内嵌状に固定されている。また、上記中皿収容凹部１ａの底面１ｃの左右両側部に接着剤層１３が設けられている。それ以外の部分は、図５および図６に示す実施の形態と同様であり、同様の部分には同じ符号を付している。この実施の形態でも、図５および図６に示す実施の形態と同様の作用・効果を奏する。
【００２３】
図９は上記容器本体１のさらに他の変形例を示している。この例では、上記容器本体１の中皿収容凹部１ａの底面１ｃに、渦巻き状に形成された溝部２１が設けられており、この溝部２１に、渦巻き状に曲げられたチューブ１２ａからなる緩衝材１２が内嵌状に固定されている。また、上記中皿収容凹部１ａの底面１ｃに２つの接着剤層１３が設けられている。それ以外の部分は、図５および図６に示す実施の形態と同様であり、同様の部分には同じ符号を付している。この実施の形態でも、図５および図６に示す実施の形態と同様の作用・効果を奏する。
【００２４】
図１０は上記容器本体１のさらに他の変形例を示している。この例では、上記容器本体１の中皿収容凹部１ａの底面１ｃに、Ｌ字状に形成された４つの溝部２１が略等間隔をあけて相対向状に設けられており、図１１（この図１１には、１つの溝部２１しか図示せず）に示すように、上記各溝部２１に、Ｌ字状に形成されたチューブ１２ａからなる緩衝材１２が内嵌状に固定されている。これら各チューブ１２ａは、断面形状四角形の角管であり、市販のものが用いられている。また、上記各チューブ１２ａの高さは、上記各溝部２１の深さより大きく形成されており、これにより、上記各チューブ１２ａの上面が上記各溝部２１の上面開口より上方に突出している。そして、これら各チューブ１２ａの上面に中皿４（図１参照）が載置されている。また、上記中皿収容凹部１ａの底面１ｃの中央部に接着剤層１３が設けられている。それ以外の部分は、図５に示す実施の形態と同様であり、同様の部分には同じ符号を付している。この実施の形態でも、図５に示す実施の形態と同様の作用・効果を奏する。
【００２５】
図１２は上記容器本体１のさらに他の変形例を示している。この例では、上記容器本体１の中皿収容凹部１ａの底面１ｃに、直線状に形成された２つの溝部２１が相対向状に設けられており、これら両溝部２１に、直線状に形成されたチューブ１２ａからなる緩衝材１２が内嵌状に固定されている。これら各チューブ１２ａは角管であり、市販のものが用いられている。それ以外の部分は、図１０および図１１に示す実施の形態と同様であり、同様の部分には同じ符号を付している。この実施の形態でも、図１０および図１１に示す実施の形態と同様の作用・効果を奏する。
【００２６】
なお、上記各実施の形態では、上記チューブ１２ａを構成する材料として、塩化ビニルを用いているが、可撓性を有する材料であればよく、シリコーン樹脂等の各種の合成樹脂材料や、各種のゴム材料，エラストマー材料が用いられる。また、上記チューブ１２ａとしては、円管や、断面形状四角形の角管に限定するものではなく、断面形状三角形や（五角形以上の）多角形の角管を用いてもよいし、円管や角管以外のものを用いてもよい。
【００２７】
また、図１〜図４に示す実施の形態において、上記チューブ１２ａに、その内部空間を外部に連通する空気出入口を設けてもよいし、図５〜図１２に示す実施の形態において、上記チューブ１２ａの両端開口を閉塞してもよい。ただし、上記内部空間を外部に連通する方が好ましい。
【図面の簡単な説明】
【００２８】
【図１】本発明の化粧料容器の一実施の形態を示す断面図である。
【図２】容器本体の断面図である。
【図３】上記容器本体の平面図である。
【図４】上記容器本体の要部の断面図である。
【図５】上記容器本体の変形例を示す平面図である。
【図６】上記容器本体の要部の断面図である。
【図７】上記容器本体の他の変形例を示す平面図である。
【図８】上記容器本体のさらに他の変形例を示す平面図である。
【図９】上記容器本体のさらに他の変形例を示す平面図である。
【図１０】上記容器本体のさらに他の変形例を示す平面図である。
【図１１】上記容器本体の要部の断面図である。
【図１２】上記容器本体のさらに他の変形例を示す平面図である。
【図１３】従来例を示す説明図である。
【図１４】他の従来例を示す断面図である。
【符号の説明】
【００２９】
１  容器本体
１ａ  中皿収容凹部
１ｃ  底面
２  蓋体
４  中皿
５  固形化粧料
１２  緩衝材
１２ａ  チューブ
【図１】
0005243059.tif 000002
【図２】
0005243059.tif 000003
【図３】
0005243059.tif 000004
【図４】
0005243059.tif 000005
【図５】
0005243059.tif 000006
【図６】
0005243059.tif 000007
【図７】
0005243059.tif 000008
【図８】
0005243059.tif 000009
【図９】
0005243059.tif 000010
【図１０】
0005243059.tif 000011
【図１１】
0005243059.tif 000012
【図１２】
0005243059.tif 000013
【図１３】
0005243059.tif 000014
【図１４】
0005243059.tif 000015